【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
媒体シートを保持する給紙トレーと、
第1の直径を有し、かつ前記媒体シートを前記給紙トレーから取り上げて前記媒体シートを媒体経路に沿って送るためのローラであって、前記媒体シートを第1の方向に移動させて前記媒体シートを取り上げ、前記媒体シートをその周りに少なくとも１８０度巻き上げて給送し、その後、離れる方向に送り出し、前記給紙トレーに対して第1の高さで突出する前記第1の送りローラと、
前記第1の直径より小さい第2の直径を有し、前記媒体シートを前記第1の送りローラから受けるローラであって、前記給紙トレーに対して前記第1の高さより低い第2の高さで突出している第2の送りローラと、
前記第1の送りローラから離れて前記第2の送りローラに隣接して設置され、前記給紙トレーに対して前記第1の高さより低い第3の高さに位置する、インクを噴出する印字ヘッドを備えたインクジェットペンと、
前記第2の送りローラと前記印字ヘッドに隣接し、前記第2の送りローラから媒体排出領域に向けて前記媒体シートが送られるときに、前記媒体シートの一部を支持する支持体を含み、
前記媒体シート上にインクが付着される印刷領域が、前記印字ヘッドと前記支持体との間に形成されることを特徴とするインクジェットプリンタ。
【請求項２】
前記支持体はピボット機構を含み、前記ピボット機構は第1位置と第2位置の間で自動的に移動可能であり、前記ピボット機構は前記第1位置にある間、前記印字ヘッドに隣接した前記媒体シートの一部を支持することを特徴とする請求項1に記載のインクジェットプリンタ。
【請求項３】
前記ピボット機構は、支持面および腕を有し、前記支持面は前記ピボット機構が前記第1位置にあるときに前記媒体シートの一部を支持し、前記印字ヘッドに向けて配置され、前記腕は前記ピボット機構が前記第2の位置にある間に前記支持面より高く突出して前記媒体シートを前記支持面から押すことを特徴とする請求項2に記載のインクジェットプリンタ。
【請求項４】
印刷サイクル中、媒体経路に沿って送られる媒体シートに印刷するインクジェットプリンタにおいて、
前記印刷サイクル中、前記媒体経路に沿って前記媒体シートを受けるローラと、
前記ローラに隣接して設置され、インクを噴出する印字ヘッドを有するインクジェットペンと、
前記ローラに隣接して設置され、支持面および腕を有し、第1位置と第2位置との間を、
前記ピボット機構の動作が変化する中間位置を経由して、自動的に移動可能なピボット機構、および
前記媒体経路の端にあって、その中に前記媒体シートが排出される媒体排出区域を備え、
前記ローラは、前記印字ヘッドに隣接している前記媒体シートを前記媒体排出区域の方に向けて送り、
前記ピボット機構が前記第1位置にある間、前記支持面は前記媒体シートが前記ローラから前記媒体排出区域の方に送られるときに前記媒体シートの一部を支持し、
インクが前記媒体シート上に印刷される印刷領域が、前記ピボット機構が前記第1にある間、前記印字ヘッドと前記支持面との間に生じ、
前記腕が、前記ピボット機構が前記第2位置にある間、前記支持面より高く突出して前記媒体シートを前記ピボット機構から前記媒体排出区域に押し込むことを特徴とするインクジェットプリンタ。
【請求項５】
前記媒体排出区域内で前記ピボット機構に隣接している排出トレーであって、前記媒体シートを保持する領域、および前記保持領域と前記ピボット機構との間にある第1の柱を備える、前記排出トレーと、
前記ピボット機構が前記第1の位置と前記第2の位置との間を移動するとき前記ピボット機構の経路内にある第2の柱であって、前記ピボット機構の移動中に前記ピボット機構に接触して前記腕を前記ピボット機構の支持面より高く動かす、前記第2の柱を備えることを特徴とする請求項4に記載のプリンタ。
【請求項６】
前記ピボット構造が前記腕が連結されたカム部を更に含み、前記第２の柱が、前記ピボット機構が移動する間、前記カムに接触して前記カム部を回転させることで前記アームを回転させて、前記腕の端を前記ピボット機構支持面より高く突出させ、前記腕の突出は前記媒体シートを前記ピボット機構から前記排出トレーに、前記第1の柱を飛び越えて押し込むことを特徴とする請求項5に記載のプリンタ。
【請求項７】
インクジェットプリンタにおいて媒体シートを排出する方法であって、
印刷領域を通して印刷媒体をプリンタの出力領域にある第1および第2のレール支持体上に送るステップであって、前記媒体シートが、前縁、後縁、第1の側縁、および第2の側縁を備え、また、前記第1の側縁の近辺に第1の側部および第2の側縁の近辺に第2の側部を備え、前記印刷領域がインクジェットペンの印字ヘッドとピボット機構の支持面との間に形成され、前記レール支持体が排出トレーの上方に隆起し、前記第1のレール支持体が前記媒体シートを前記第1の側部で支持し、前記第2のレール支持体が前記媒体シートを前記第2の側部で支持し、前記レール支持体がそれぞれの突出位置とそれぞれの後退位置との間を移動し得るように構成される、ステップと、
前記ピボット機構を、前記ピボット機構の前記支持面が前記媒体シートの前記印字ヘッドに隣接する部分を支持する第1の位置から、前記印字ヘッドから遠い前記第2の位置まで、第1の位置から移動させるステップであって、前記ピボット機構が前記第1の位置と第2の位置との中間位置に到達すると前記ピボット機構の動作が変化するように構成される、ステップと、
前記第１の位置から移動させるステップの間に、前記媒体シートを前記排出トレーに向かって落下させるために、前記第1のレール支持体および前記第2のレール支持体のいずれかまたは双方を上方にそれぞれの後退位置の方向に回転させるステップであって、前記レール支持体のいずれか一方または双方が回転し且つ前記ピボット機構が移動するにつれて、前記媒体シートが最初に所定角度傾き、前記後縁を前記排出トレーに対して前記前縁より低い高さ位置に保持する、ステップと、
前記ピボット機構が第1位置から離れて前記中間位置に移動する間、前記腕の端と接触している前記媒体シートの部分を前記支持面から押すために、前記ピボット機構の腕の端を前記ピボット機構の前記支持面の上方第1の高さに突出させるステップと、
前記ピボット機構が前記中間位置を越えて前記第2の位置に移動する間、前記ピボット機構の腕の端を前記ピボット機構の前記支持面の上方第１の高さより高い支持面の上方第2の高さに突出させるステップであって、前記腕の端と接触している前記媒体シートのすべての部分を前記ピボット機構から押す、ステップと、
からなることを特徴とする媒体シート排出方法。
【請求項８】
前記中間位置における前記ピボット機構の動作の変化は、前記ピボット機構の動作の所定期間の休止を含むことを特徴とする請求項7に記載の方法。
【請求項９】
前記第1のレール支持体および前記第2のレール支持体の前記いずれか一方または双方の回転は、前記ピボット機構の動作の変化とともに変化し、前記第1のレール支持体および前記第2のレール支持体の前記いずれか一方または双方の前記回転は、前記ピボット機構の動作が所定期間休止している間、休止することを特徴とする請求項８に記載の媒体シート排出方法。
【請求項１０】
インクジェットプリンタにおいて媒体シートを排出する方法であって、
印刷領域を通して印刷媒体をプリンタの出力領域にある第1および第2のレール支持体上に送るステップであって、前記媒体シートが、前縁、後縁、第1の側縁、および第2の側縁を備え、また、前記第1の側縁の近辺に第1の側部および第2の側縁の近辺に第2の側部を備え、前記印刷領域がインクジェットペンの印字ヘッドとピボット機構の支持面との間に形成され、前記レール支持体が排出トレーの上方に隆起し、前記第1のレール支持体が前記媒体シートを前記第1の側部で支持し、前記第2のレール支持体が前記媒体シートを前記第2の側部で支持し、前記レール支持体がそれぞれの突出位置とそれぞれの後退位置との間を移動し得るように構成される、ステップと、
前記ピボット機構を、前記ピボット機構の前記支持面が前記媒体シートの前記印字ヘッドに隣接する部分を支持する第1の位置から、前記中間位置まで、前記第1の位置から移動させる、ステップと、
前記第１の位置から移動させるステップの間に、前記媒体シートを前記排出トレーに向かって落下させるために、前記第1のレール支持体および前記第2のレール支持体のいずれかまたは双方をそれぞれの後退位置の方向に回転させるステップであって、前記レール支持体のいずれか一方または双方が回転し且つ前記ピボット機構が前記中間位置に移動するにつれて、前記媒体シートが所定角度傾き、前記後縁を前記排出トレーに対して前記前縁より低い高さ位置に保持する、ステップと、
前記第1位置から移動させるステップ中に、前記腕の端と接触している前記媒体シートの部分を前記支持面から押すために、前記ピボット機構の腕の端を前記ピボット機構の前記支持面の上方第1の高さに突出させるステップと、
前記ピボット機構を前記第1の位置に向けて戻すステップと、
前記ピボット機構を前記第1の位置に向けて戻すステップ中、前記第1のレール支持体および前記第2のレール支持体のいずれかまたは双方をそれぞれの突出位置に向けて回転させて戻すステップと、
前記第1の位置に向けて戻し、それぞれの突出位置に向けて回転して戻すステップ後に、前記ピボット機構を前記第1の位置から移動させて、前記中間位置を通って、第2の位置まで移動させるステップと、
前記第2の位置まで移動させるステップ中に、前記第1のレール支持体および前記第2のレール支持体のいずれかまたは双方をそれぞれの後退位置に向けて回転させるステップと、
前記第2の位置まで移動させるステップ中に、前記腕の端と接触している前記媒体シートの部分を前記ピボット機構から押すために、前記ピボット機構の前記腕の端を前記ピボット機構の前記支持面の上方第１の高さより前記高い支持面の上方第2の高さに突出させるステップと、
を含むことを特徴とするインクジェットプリンタの媒体シート排出方法。